(57)【特許請求の範囲】
【請求項１】
一方のロッド部材を他方のロッド部材の中空内部に挿入して、所定の重なり長さを保持した状態で係止させることにより、これらの一対のロッド部材が軸方向に連結一体化された柄を形成する柄の連結構造であって、  前記一方のロッド部材には、係止頭部を備える板バネ係止部材が収容される収容部が設けられており、前記他方のロッド部材には、前記板バネ係止部材の係止頭部が係止される係止穴が形成されており、 前記収容部は、延設方向の幅が小さくなっている、開口部側の狭幅部と、延設方向の幅が大きくなっている、底面側の長幅部とからなる、凸字形の縦断面形状を備える２段構造の凹溝として形成されており、  前記収容部に収容された前記板バネ係止部材は、前記係止頭部と、該係止頭部の基端部から両側に張り出して設けられた一対の板バネ脚部とを含んで形成されていると共に、凹溝として形成された前記収容部の溝幅よりも僅かに小さな、これと略同様の厚さを備えるように形成されており、 前記板バネ係止部材は、２段構造の凹溝となっている前記収容部の前記狭幅部に前記係止頭部を臨ませると共に、前記板バネ脚部の端部スライド部を長幅部に配設して、前記収容部から抜け落ちない状態で取り付けられており、  前記一対の板バネ脚部を弾性変形させつつ前記収容部の底面に沿って前記板バネ脚部の端部スライド部をスライド移動させることで、一対の前記端部スライド部の間隔を広げたり狭めたりすることによって、前記係止頭部を前記一方のロッド部材の中心軸に向けた方向に進退させるようになっており、  且つ前記収容部に収容された前記板バネ係止部材は、前記係止頭部を前記一方のロッド部材の外周面から外側に突出させて、前記他方のロッド部材の前記係止穴に係止された状態から、前記係止頭部を前記一方のロッド部材の中心軸に向けて押し込むことで、係止状態を開放できるようになっている柄の連結構造。
【請求項２】
前記他方のロッド部材には、長さ方向に間隔をおいて、前記係止穴が複数箇所に形成されており、これらの係止穴から前記板バネ係止部材を係止させる係止穴を選択して、前記係止頭部を係止できるようになっている請求項１記載の柄の連結構造。
【請求項３】
前記板バネ係止部材は、前記板バネ脚部の端部スライド部を、前記収容部の底面に沿って、前記一方のロッド部材の長さ方向にスライド移動させるように、前記収容部に収容されている請求項１又は２記載の柄の連結構造。
【請求項４】
前記一方のロッド部材の、前記他方のロッド部材の中空内部に挿入される部分は、非円形の外周断面形状を備えており、前記他方のロッド部材の中空内部は、前記一方のロッド部材の前記非円形の外周断面形状と対応する、非円形の内周断面形状を備えている請求項１〜３のいずれか１項記載の柄の連結構造。
【請求項５】
前記柄が、清掃具の柄である請求項１〜４のいずれか１項記載の柄の連結構造。
【発明の詳細な説明】
【技術分野】
【０００１】
本発明は、柄の連結構造に関し、特に、一方のロッド部材を他方のロッド部材の中空内部に挿入して、所定の重なり長さを保持した状態で係止させることにより、これらの一対のロッド部材が軸方向に連結一体化された柄を形成する柄の連結構造に関する。
【背景技術】
【０００２】
例えば、清掃具の柄や、杖の柄等の柄は、コンパクトな長さの複数のロッド部材を、軸方向に着脱可能に連結一体化して形成される場合がある。複数のロッド部材を軸方向に着脱可能に連結一体化するための構造として、例えば隣接する各一対のロッド部材のうちの一方を、他方のロッド部材の中空内部に挿入して、所定の重なり長さを保持した状態で係止させることで、連結部に負荷される曲げ応力を、重なり部分で安定して支持できるようにする連結構造が知られている（例えば、特許文献１参照）。また、このような連結構造では、好ましくは中空内部を備える他方のロッド部材の周面に、長さ方向に間隔をおいて複数の係止穴を形成しておき、これらの係止穴から選択される、一方のロッド部材に設けられた係止突部を係止させる係止穴を替えることで、柄の長さを変化させることが可能になる（例えば、特許文献２参照）。
【０００３】
一方、特許文献１や特許文献２の連結構造では、一方のロッド部材と他方のロッド部材とを係止させる係止部材として、係止突部を張出し端部に備える、Ｕ字形状又はコの字形状に曲折された弾性変形可能な板バネ状の係止部材が用いられている。このような板バネ状の係止部材を用いた連結構造では、例えば図５（ａ）、（ｂ）に示すように、Ｕ字形状又はコの字形状の板バネ状の係止部材５０の一方の側片部５０ａを、一方のロッド部材５１の内周面に密着させて支持させると共に、中間片部５０ｂから片持ち梁状に張り出す他方の側片部５０ｃの端部に設けられた係止突部５０ｄを、一方のロッド部材５１の外周面よりも外側に突出させて、他方のロッド部材５２の周面に形成された係止穴５３に係止させることで、一対のロッド部材５１，５２を連結するようになっている（図５（ａ）参照）。
【０００４】
また、係止突部５０ｄが係止穴５３に係止されている状態から、板バネ状の係止部材５０による付勢力に抗して、係止突部５０ｄを一方のロッド部材５１の中心軸側に押し込むと共に（図５（ｂ）参照）、一方のロッド部材５１を他方のロッド部材５２に対して押し出したり引き出したりする力を負荷することで、係止突部５０ｄと係止穴５３との係止状態を開放させて、一対のロッド部材５１，５２を分解できるようにしたり、他の係止穴５３に係止突部５０ｄを係止させて柄の長さを変えたりすることができるようになっている。
【先行技術文献】
【特許文献】
【０００５】
【特許文献１】特許２００４−４９６２８号公報
【特許文献２】特許２００２−３２５６０９号公報
【発明の概要】
【発明が解決しようとする課題】
【０００６】
しかしながら、上記従来の、Ｕ字形状又はコの字形状の板バネ状の係止部材５０を用いた柄の連結構造では、係止突部５０ｄは、中間片部５０ｂから片持ち梁状に張り出した、他方の側片部５０ｃの端部に設けられていることから、当該係止突部５０ｄは、押し込みによって、一方のロッド部材５１の中心軸に対して垂直又は略垂直な方向に進退移動するのではなく、図５（ｂ）に示すように、他方の側片部５０ｃを下方にしならせながら、中間片部５０ｂとの接合部分を中心として回転する方向に傾いた状態で、斜めに進退移動することになる。このため、特に回転や、しなりの量が大きくなる他方の側片部５０ｃの先端側の部分で、係止突部５０ｄは、係止穴５３とのロックが弱くなって、係止状態を安定して保持することが難しくなる。このような不安定な係止状態は、板バネ状の係止部材５０と係止穴５３との着脱が繰り返し行われることで、一層顕著になる。
【０００７】
本発明は、一対のロッド部材を、弾性変形可能な板バネ状の係止部材を用いて、より安定した状態で着脱可能に連結一体化することのできる柄の連結構造を提供することを目的とする。
【課題を解決するための手段】
【０００８】
本発明は、一方のロッド部材を他方のロッド部材の中空内部に挿入して、所定の重なり長さを保持した状態で係止させることにより、これらの一対のロッド部材が軸方向に連結一体化された柄を形成する柄の連結構造であって、前記一方のロッド部材には、係止頭部を備える板バネ係止部材が収容される収容部が設けられており、前記他方のロッド部材には、前記板バネ係止部材の係止頭部が係止される係止穴が形成されており、前記収容部に収容された前記板バネ係止部材は、前記係止頭部と、該係止頭部の基端部から両側に張り出して設けられた一対の板バネ脚部とを含んで形成されていて、前記一対の板バネ脚部を弾性変形させつつ前記収容部の底面に沿って前記板バネ脚部の端部スライド部をスライド移動させることで、一対の前記端部スライド部の間隔を広げたり狭めたりすることによって、前記係止頭部を前記一方のロッド部材の中心軸に向けた方向に進退させるようになっており、且つ前記収容部に収容された前記板バネ係止部材は、前記係止頭部を前記一方のロッド部材の外周面から外側に突出させて、前記他方のロッド部材の前記係止穴に係止された状態から、前記係止頭部を前記一方のロッド部材の中心軸に向けて押し込むことで、係止状態を開放できるようになっている柄の連結構造を提供することにより、上記目的を達成したものである。
【発明の効果】
【０００９】
本発明の柄の連結構造によれば、一対のロッド部材を、弾性変形可能な板バネ状の係止部材を用いて、より安定した状態で着脱可能に連結一体化することができる。
【図面の簡単な説明】
【００１０】
【図１】本発明の好ましい一実施形態に係る柄の連結構造を用いて一対のロッド部材が連結される、清掃具の全体構成を説明する分解斜視図である。
【図２】本発明の好ましい一実施形態に係る柄の連結構造を用いて一対のロッド部材が連結された清掃具の柄を、収縮させた状態で示す、（ａ）は斜視図、（ｂ）は（ａ）を半分に縦断した破断斜視図である。
【図３】本発明の好ましい一実施形態に係る柄の連結構造を用いて一対のロッド部材が連結された清掃具の柄を、伸長させた状態で示す、（ａ）は斜視図、（ｂ）は（ａ）を半分に縦断した破断斜視図である。
【図４】（ａ）、（ｂ）は、本発明の好ましい一実施形態に係る柄の連結構造を説明する要部破断斜視図である。
【図５】（ａ）、（ｂ）は、従来の柄の連結構造を説明する略示断面図である。
【発明を実施するための形態】
【００１１】
本発明の好ましい一実施形態に係る柄の連結構造１０は、図１〜図３に示すように、例えば柄１１を把持して被清掃面の清掃を行えるようにした、ハンディタイプの清掃具２０を構成する当該柄１１を、一対のロッド部材１２，１３を軸方向に連結一体化することによって形成するための構造として採用されたものである。また、本実施形態の柄の連結構造１０は、弾性変形可能な板バネ状の係止部材として、後述する形状に形成された板バネ係止部材１４を用いることで、より安定した状態で、一対のロッド部材１２，１３を着脱可能に、且つ好ましくは２段階に長さを変化させることが可能に、連結一体化する機能を備える。
【００１２】
ここで、本実施形態では、清掃具２０は、図１に示すように、一対のロッド部材１２，１３からなる柄１１と、柄１１の先端部に本体側接合部２１ａと柄側接合部２１ｂとからなる公知のジョイント部２１を介して一体として張出し接合される、上下にしなり易い弾性を備える清掃具本体２２とを含んで構成される。清掃具本体２２には、例えば表裏一対の不織布からなる清掃シート２３ａを所定の箇所でシール止めして、中央部分に清掃具本体２２の装着袋部を形成した使い捨て用の清掃部材２３が、着脱交換可能に装着される。清掃具２０は、柄１１を手で把持して、清掃部材２３が装着された清掃具本体２２を被清掃面に接触させたり押し付けたりすることにで、被清掃面に付着したごみ、ほこり、汚れ等を、清掃部材２３によって効率良く捕集することが可能である。
【００１３】
そして、本実施形態の柄の連結構造１０は、図１〜図３に示すように、例えば上述のような構成を備える清掃具２０において、一方のロッド部材１２を他方のロッド部材１３の中空内部１３ａに挿入して、所定の重なり長さを保持した状態で係止させることにより、これらの一対のロッド部材１２，１３が軸方向に連結一体化された柄１１を形成する連結構造であって、一方のロッド部材１２には、係止頭部１４ａを備える板バネ係止部材１４が収容される収容部１５が設けられており、他方のロッド部材１３には、板バネ係止部材１４の係止頭部１４ａが挿入係止される係止穴１６が形成されている。図４（ａ）、（ｂ）にも示すように、収容部１５に収容された板バネ係止部材１４は、係止頭部１４ａと、係止頭部１４ａの基端部から両側に張り出して設けられた一対の板バネ脚部１４ｂとを含んで形成されていて、一対の板バネ脚部１４ｂを弾性変形させつつ収容部１５の底面１５ａに沿って板バネ脚部１４ｂの端部スライド部１４ｃをスライド移動させることで、一対の端部スライド部１４ｃの間隔を広げたり狭めたりすることによって、係止頭部１４ａを一方のロッド部材１２の中心軸に向けた方向Ｘに進退させるようになっている。また収容部１５に収容された板バネ係止部材１４は、係止頭部１４ａを一方のロッド部材１２の外周面から外側に突出させて、他方のロッド部材１３の係止穴１６に係止された状態から（図４（ａ）参照）、係止頭部１４ａを一方のロッド部材１２の中心軸に向けて押し込むことで、係止状態を開放できるようになっている（図４（ｂ）参照）。
【００１４】
また、本実施形態では、他方のロッド部材１３には、図１に示すように、長さ方向に間隔をおいて、係止穴１６が複数箇所（本実施形態では２箇所）に形成されており、これらの係止穴１６から板バネ係止部材１４を係止させる係止穴１６を選択して、係止頭部１４ａを係止穴１６に挿入することで係止できるようになっている。これによって、柄１１の長さを、例えば収縮状態（図２（ａ）、（ｂ）参照）と伸長状態（図３（ａ）、（ｂ）参照）とに、２段階に変化させることができる。
【００１５】
本実施形態では、清掃具２０の柄１１を構成する一方のロッド部材１２は、例えばポリプロピレン、ポリアセタール、ポリカーボネート、ＡＢＳ等からなる合成樹脂製の成形品、もしくはアルミ、真鍮などの金属加工品であって、例えば１００〜３００ｍｍ程度の長さを有する。一方のロッド部材１２は、柄側接合部２１ｂが一体として連続する一端部分を形成する、他方のロッド部材１３の一端部の端面１３ｂの外周断面形状と同様の長径及び短径を有する縦長楕円の略円柱形状の先端拡径部１２ａと、この先端拡径部１２ａの柄側接合部２１ｂとは反対側に延設する、他方のロッド部材１３の中空内部１３ａに挿入可能な部分である、先端拡径部１２ａよりも細くなっている挿入縮径部１２ｂとからなる。本実施形態では、挿入縮径部１２ｂは、好ましくは非円形の外周断面形状として、例えば略４角形の外周断面形状を有する、中実の略４角柱形状のロッド部となっている。
【００１６】
また、一方のロッド部材１２の、柄側接合部２１ｂとは反対側の端部には、板バネ係止部材１４が収容される収容部１５が形成されている。本実施形態では、収容部１５は、一方のロッド部材１２の外周面に開口すると共に、一方のロッド部材の長さ方向に延設する、２段構造の凹溝として形成されている。すなわち、収容部１５は、図４（ａ）、（ｂ）に示すように、一方のロッド部材の長さ方向の幅が小さくなっている、開口部１５ｂ側の狭幅部１５ｃと、一方のロッド部材の長さ方向の幅が大きくなっている、底面１５ａ側の長幅部１５ｄとからなる、凸字形の縦断面形状を備える凹溝として形成されている。また収容部１５は、一方のロッド部材の幅方向の溝幅が、例えば１０〜５０ｍｍ程度となるように形成されていると共に、長幅部１５ｄによる底面１５ａが、開口部１５ｂと背向する部分の外周面と近接して配置されるような深さを有する凹溝として形成されている。この収容部１５には、後述する板バネ係止部材１４が、係止頭部１４ａを狭幅部１５ｃに臨ませると共に、板バネ脚部１４ｂの端部スライド部１４ｃを長幅部１５ｄに配設した状態で装着される。
【００１７】
清掃具２０の柄１１を構成する他方のロッド部材１３は、図１〜図３に示すように、一方のロッド部材１２と同様に、例えばポリプロピレン、ポリアセタール、ポリカーボネート、ＡＢＳ等からなる合成樹脂製の成形品、もしくはアルミ、真鍮などの金属加工品であって、一方のロッド部材１２の挿入縮径部１２ｂよりも僅かに長い、例えば１００〜３００ｍｍ程度の長さを備える。他方のロッド部材１３は、一端部の端面１３ｂに挿入開口１３ｃが開口すると共に、他端部がエンド壁１３ｄによって閉塞された、中空の略有天円筒形状のロッド部となっている。また他方のロッド部材１３は、挿入開口１３ｃが形成された一端部の端面１３ｂおいて、一方のロッド部材１２の先端拡径部１２ａの外周断面形状と同様の、例えば５〜５０ｍｍ程度の長径及び短径を有する縦長楕円の外周断面形状を備えると共に、他端部のエンド壁１３ｄに向けて、その外周断面形状を緩やかに拡径させた形状を備えている。これによって、柄１１を収縮状態とした際に、一方のロッド部材１２の先端拡径部１２ａの外周面と、他方のロッド部材１３の外周面とが、滑らかに連続することになる（図２（ａ）参照）。なお、他方のロッド部材１３の他端部のエンド壁１３ｄには、当該エンド壁１３ｄの後方に連続して、吊下げリング部２４が、一体として設けられている。
【００１８】
また、本実施形態では、他方のロッド部材１３に、板バネ係止部材１４の係止頭部１４ａを係止させる係止穴１６が、他方のロッド部材１３の外周面と内周面との間を貫通して、２箇所に開口形成されている。すなわち、係止穴１６は、他方のロッド部材１３の周方向の同じ位置に配設されて、挿入開口１３ｃに近接する部分と、エンド壁１３ｂに近接する部分との２箇所に開口形成されている。係止穴１６は、各々、他方のロッド部材１３の長さ方向の開口幅が、収容部１５に装着された板バネ係止部材１４の係止頭部１４ａの、一方のロッド部材１２の長さ方向の突起幅と略合致する形状となるように形成されている。係止穴１６の開口周縁部は、これの全周又は一部が、他方のロッド部材１３の外周面から内周面に向けて斜め内側に傾斜する、テーパー面１６ａによって面取りされていることが好ましい。
【００１９】
さらに、本実施形態では、他方のロッド部材１３の中空内部１３ａは、一方のロッド部材１２の当該中空内部１３ａに挿入される部分である、挿入縮径部１２ｂの、非円形の例えば略４角形の外周断面形状と対応する、非円形の略４角形の内周断面形状を備えている。また、本実施形態では、係止穴１６は、他方のロッド部材１３の中空内部１３ａの略４角形の内周断面形状の同じ角部分に、各々形成されていると共に、板バネ係止部材１４が装着される収容部１５の開口部１５ｂは、一方のロッド部材１２の挿入縮径部１２ｂの略４角形の外周断面形状の角部分に形成されている。
【００２０】
一方のロッド部材１２の挿入縮径部１２ｂや他方のロッド部材１３の中空内部１３ａが、非円形の外周断面形状や内周断面形状を備えていることにより、一方のロッド部材１２の挿入縮径部１２ｂの少なくとも先端部分を他方のロッド部材１３の中空内部１３ａに挿入した状態では、一方のロッド部材１２が他方のロッド部材１３に対して回転しなくなるので、各々の係止穴１６と、収容部１５に装着された板バネ係止部材１４の係止頭部１４ａとを、よりスムーズに位置合わせすることが可能になる。また特に、係止穴１６が中空内部１３ａの略４角形の内周断面形状の角部分に形成されていると共に、係止頭部１４ａが突出する収容部１５の開口部１５ｂが挿入縮径部１２ｂの略４角形の外周断面形状の角部分に形成されているので、挿入縮径部１２ｂの挿入開始時に、収容部１５の開口部１５ｂが形成された挿入縮径部１２ｂの角部分を、係止穴１６が形成された他方のロッド部材１３の周方向の位置に合わせながら、さらにスムーズに一方のロッド部材１２の挿入縮径部１２ｂを他方のロッド部材１３の中空内部１３ａに挿入してゆくことが可能になる。
【００２１】
一方のロッド部材１２と他方のロッド部材１３とを係止する板バネ係止部材１４は、図１及び図４（ａ）、（ｂ）に示すように、係止頭部１４ａと、係止頭部１４ａの基端部から両側に張り出して設けられた、一対の板バネ脚部１４ｂとを含んで形成されている。板バネ係止部材１４は、本実施形態では、一方のロッド部材１２の柄側接合部２１ｂとは反対側の端部に形成された上述の収容部１５に装着されて、２段構造の凹溝となっている収容部１５の狭幅部１５ｃに係止頭部１４ａを臨ませると共に、板バネ脚部１４ｂの端部スライド部１４ｃを長幅部１５ｄに配設して、収容部１５から抜け落ちない状態で取り付けられている。
【００２２】
板バネ係止部材１４は、例えばポリアセタール、ポリアミド、ポリプロピレン等からなる合成樹脂製の成形品であって、収容部１５の溝幅よりも僅かに小さな、これと略同様の厚さを備えるように形成される。板バネ係止部材１４は、図４（ａ）に示すように、その係止頭部１４ａが、先端側の一対の角部分が弧状に面取りされた略矩形の正面形状を備えると共に、係止頭部１４ａの基端部側の一対の角部分から連続して両側に張り出して設けられた、一対の板バネ脚部１４ｂが、略４半円弧状の正面形状を備える。また板バネ係止部材１４は、係止頭部１４ａを左右に２等分割する中心線ｃ−ｃを対称軸とする、線対称の正面形状を有している。一対の板バネ脚部１４ｂの先端部分には、当該先端部分を外側に曲折させて、収容部１５の底面１５ａとのスライド移動可能な当接面を形成する、端部スライド部１４ｃが各々設けられている。
【００２３】
また、板バネ係止部材１４は、係止頭部１４ａの基端部から両側に張り出す一対の板バネ脚部１４ｂの延設方向を、一方のロッド部材１２の長さ方向に延設する収容部１５の延設方向に沿わせることで、板バネ脚部１４ｂの端部スライド部１４ｃを、収容部１５の長幅部１５ｄによる底面１５ａに沿って一方のロッド部材１２の長さ方向にスライド移動させることができるように、収容部１５に装着される。これによって、板バネ係止部材１４は、一対の板バネ脚部１４ｂを弾性変形させつつ、板バネ脚部１４ｂの端部スライド部１４ｃを収容部１５の底面１５ａに沿ってスライド移動させることで、一対の端部スライド部１４ｃの間隔を広げたり狭めたりすることによって、係止頭部１４ａを一方のロッド部材１２の中心軸に向けた方向Ｘに進退させることが可能になる（図４（ａ）、（ｂ）参照）。板バネ脚部１４ｂの端部スライド部１４ｃを、一方のロッド部材の長さ方向にスライド移動させるようにしたことで、容易に係止頭部１４ａを一方のロッド部材１２の中心軸に向けて押し込むことが可能になる。
【００２４】
上述の構成を備える柄の連結構造１０によって一対のロッド部材１２，１３を連結して柄１１１を形成するには、例えば図１に示す一方のロッド部材１２と他方のロッド部材１３とが分解された状態から、一方のロッド部材１２の挿入縮径部１２ｂの収容部１５に装着された板バネ係止部材１４の、一方のロッド部材１２の外周面よりも外側に突出する係止頭部１４ａを、板バネ脚部１４ｂによる付勢力に抗して中心軸側に指で押し込むと共に、一方のロッド部材１２の挿入縮径部１２ｂを、係止頭部１４ａを係止穴１６に位置合わせしつつ、他方のロッド部材１３の中空内部１３ａに、端面１３ｂの挿入開口１３ｃを介して挿入してゆく。挿入縮径部１２ｂを他方のロッド部材１３に挿入して、押し込まれた係止頭部１４ａが、挿入開口１３ｃ側の係止穴１６に到ると、係止頭部１４ａは、板バネ脚部１４ｂの付勢力によって外側に押し出されて係止穴１６に係止される。これによって、一方のロッド部材１２と他方のロッド部材１３とを、柄１１を伸長させた状態で連結することが可能になる（図３（ａ）、（ｂ）参照）。
【００２５】
また、柄１１を伸長させた状態から、係止穴１６に係止されている板バネ係止部材１４の係止頭部１４ａを、板バネ脚部１４ｂによる付勢力に抗して中心軸側に指で押し込むと共に、一方のロッド部材１２を他方のロッド部材１３に対して押し出したり引き出したりする力を負荷することで、係止頭部１４ａと係止穴１６との係止状態を開放させることが可能になる。例えば一方のロッド部材１２を押し出して、挿入縮径部１２ｂを他方のロッド部材１３の中空内部１３ａにさらに挿入してゆくことで、押し込まれた係止頭部１４ａが、エンド壁１３ｄ側の係止穴１６に到ると、係止頭部１４ａは、板バネ脚部１４ｂの付勢力によって外側に押し出されて係止穴１６に係止される。これによって、一方のロッド部材１２と他方のロッド部材１３とを、柄１１を収縮させた状態で連結することが可能になる（図２（ａ）、（ｂ）参照）。
【００２６】
そして、上述の構成を備える本実施形の柄の連結構造１０によれば、一対のロッド部材１２，１３を、弾性変形可能な板バネ係止部材１４を用いて、より安定した状態で着脱可能に連結一体化することが可能になる。
【００２７】
すなわち、本実施形態によれば、収容部１５に収容された板バネ係止部材１４は、係止頭部１４ａと、係止頭部１４ａの基端部から両側に張り出して設けられた一対の板バネ脚部１４ｂとを含んで形成されていて、一対の板バネ脚部１４ｂを弾性変形させつつ収容部１５の底面１５ａに沿って板バネ脚部１４ｂの端部スライド部１４ｃをスライド移動させることで、一対の端部スライド部１４ｃの間隔を広げたり狭めたりすることによって、係止頭部１４ａを一方のロッド部材１２の中心軸に向けた方向Ｘに進退させるようになっている。
【００２８】
したがって、収容部１５に収容された板バネ係止部材１４は、係止頭部１４ａを一方のロッド部材１２の外周面から外側に突出させて、他方のロッド部材１３の係止穴１６に係止された状態から（図４（ａ）参照）、係止頭部１４ａが一方のロッド部材１２の中心軸側に押し込まれた際に、片持ち梁状に張り出した側片部の端部に係止突部が設けられているＵ字形状又はコの字形状の板バネ状の係止部材（図５（ａ）、（ｂ）参照）のように、傾いた状態で斜めに進退移動することがなく、一方のロッド部材１２の中心軸に対して垂直又は略垂直な方向に進退移動することができるので（図４（ｂ）参照）、一対のロッド部材１２，１３を、より安定した状態で着脱可能に連結一体化することが可能になる。
【００２９】
なお、本発明は上記実施形態に限定されることなく種々の変更が可能である。例えば、他方のロッド部材に長さ方向に間隔をおいて係止穴が複数箇所に形成されている必要は必ずしもなく、係止穴が１箇所のみ形成されている他方のロッド部材に一方のロッド部材を連結させる場合にも、本発明を採用することができる。また、板バネ係止部材は、板バネ脚部の端部スライド部を、一方のロッド部材の長さ方向にスライド移動させるように装着する必要は必ずしもなく、例えば一方のロッド部材の周方向にスライド移動させるように装着することもできる。さらに、一方のロッド部材の、他方のロッド部材の中空内部に挿入される部分の外周断面形状や、他方のロッド部材の中空内部の内周断面形状は、略４角形の他、楕円や３角形等、その他の種々の非円形の外周断面形状とすることができると共に、これらの外周断面形状や内周断面形状は、円形の断面形状とすることもできる。
【００３０】
さらにまた、板バネ係止部材が装着される収容部は、狭幅部と長幅部とからなる２段構造の凹溝となっている必要は必ずしもなく、板バネ係止部材を、係止頭部を外側に突出させると共に抜け落ちない状態で装着できる、その他の種々の形状の収容部であっても良い。例えば、一方のロッド部材の、他方のロッド部材の中空内部に挿入される部分が、中空のパイプ状の部分として形成されている場合には、これの中空内部を、収容部として利用することもできる。本発明の柄の連結構造は、清掃具の柄に限定されることなく、杖の柄等の、その他の種々の柄を、一対のロッド部材を軸方向に連結一体化して形成する構造として採用することができる。
【符号の説明】
【００３１】
１０  柄の連結構造
１１  柄
１２  一方のロッド部材
１２ａ  先端拡径部
１２ｂ  挿入縮径部
１３  他方のロッド部材
１３ａ  中空内部
１３ｂ  一端部の端面
１３ｃ  挿入開口
１３ｄ  エンド壁
１４  板バネ係止部材
１４ａ  係止頭部
１４ｂ  板バネ脚部
１４ｃ  端部スライド部
１５  収容部
１５ａ  底面
１５ｂ  開口部
１５ｃ  狭幅部
１５ｄ  長幅部
１６  係止穴
２０  清掃具
２１  ジョイント部
２２  清掃具本体
２３  清掃部材
Ｘ    一方のロッド部材の中心軸に向けた方向
【図１】
0005894483.tif 000002
【図２】
0005894483.tif 000003
【図３】
0005894483.tif 000004
【図４】
0005894483.tif 000005
【図５】
0005894483.tif 000006